(57)【特許請求の範囲】
【請求項１】
ガスを遮断する遮断弁が閉じる際のガス流量を用いて、ガス流量ごとの完了時間を算出する完了時間算出部と、
復帰安全確認が開始されてからの経過時間を測定する経過時間測定部と、
復帰安全確認が開始されてから、設定された周期で比較指示を出力する比較指示部と、
前記比較指示部により比較指示が出力されると、前記完了時間算出部が算出した完了時間と前記経過時間測定部が測定した経過時間とを比較し、当該経過時間が当該完了時間以上の場合に復帰安全確認の完了を決定する比較部とを備え、
前記完了時間算出部は、前記遮断弁が閉じる際のガス流量が第２設定値未満のときに、復帰安全確認が開始されてから前記比較部によりその完了が決定されるまでの復帰安全確認時間が最長となる完了時間が算出される一次関数を用いて、完了時間を算出することを特徴とする復帰安全確認時間制御装置。
【請求項２】
ガスを遮断する遮断弁が閉じる際のガス流量を用いて、ガス流量ごとの完了時間を算出する完了時間算出部と、
復帰安全確認が開始されてからの経過時間を測定する経過時間測定部と、
復帰安全確認が開始されてから、設定された周期で比較指示を出力する比較指示部と、
前記比較指示部により比較指示が出力されると、前記完了時間算出部が算出した完了時間と前記経過時間測定部が測定した経過時間とを比較し、当該経過時間が当該完了時間以上の場合に復帰安全確認の完了を決定する比較部とを備え、
前記完了時間算出部は、前記遮断弁が閉じる際のガス流量が第３設定値未満のときに、復帰安全確認が開始されてから前記比較部によりその完了が決定されるまでの復帰安全確認時間が最長となる完了時間が算出されるシグモイド関数を用いて、完了時間を算出することを特徴とする復帰安全確認時間制御装置。
【請求項３】
前記比較指示部により比較指示が出力される周期は、復帰安全確認が開始されてから前記比較部によりその完了が決定されるまでの復帰安全確認時間を、前記遮断弁が閉じる際のガス流量が第１設定値以上のときに最短とする値に設定されることを特徴とする請求項１又は請求項２記載の復帰安全確認時間制御装置。
【請求項４】
完了時間算出部が、ガスを遮断する遮断弁が閉じる際のガス流量を用いて、ガス流量ごとの完了時間を算出する完了時間算出ステップと、
経過時間測定部が、復帰安全確認が開始されてからの経過時間を測定する経過時間測定ステップと、
比較指示部が、復帰安全確認が開始されてから、設定された周期で比較指示を出力する比較指示ステップと、
比較部が、前記比較指示ステップにより比較指示が出力されると、前記完了時間算出ステップで算出された完了時間と前記経過時間測定ステップで測定された経過時間とを比較し、当該経過時間が当該完了時間以上の場合に復帰安全確認の完了を決定する比較ステップとを備え、
前記完了時間算出部は、前記遮断弁が閉じる際のガス流量が第２設定値未満のときに、復帰安全確認が開始されてから前記比較部によりその完了が決定されるまでの復帰安全確認時間が最長となる完了時間が算出される一次関数を用いて、完了時間を算出することを特徴とする復帰安全確認時間制御方法。
【請求項５】
完了時間算出部が、ガスを遮断する遮断弁が閉じる際のガス流量を用いて、ガス流量ごとの完了時間を算出する完了時間算出ステップと、
経過時間測定部が、復帰安全確認が開始されてからの経過時間を測定する経過時間測定ステップと、
比較指示部が、復帰安全確認が開始されてから、設定された周期で比較指示を出力する比較指示ステップと、
比較部が、前記比較指示ステップにより比較指示が出力されると、前記完了時間算出ステップで算出された完了時間と前記経過時間測定ステップで測定された経過時間とを比較し、当該経過時間が当該完了時間以上の場合に復帰安全確認の完了を決定する比較ステップとを備え、
前記完了時間算出部は、前記遮断弁が閉じる際のガス流量が第３設定値未満のときに、復帰安全確認が開始されてから前記比較部によりその完了が決定されるまでの復帰安全確認時間が最長となる完了時間が算出されるシグモイド関数を用いて、完了時間を算出することを特徴とする復帰安全確認時間制御方法。
【発明の詳細な説明】
【技術分野】
【０００１】
この発明は、ガスメータでガスを遮断した後に行われる復帰安全確認に掛かる時間を、ガス流量に応じて制御する装置及び方法に関するものである。
【背景技術】
【０００２】
ガスメータには、遮断弁等のガスを遮断するための機構が備わっている。例えば、継続してガスを使用可能な時間をガス流量に応じて設定し、その時間が経過した場合には遮断弁が閉じてガスが遮断される。そして、ガスを遮断した後に、遮断弁が開いた通常の状態に復帰させる際には、ガス漏れが無いか否かを確認するために、任意の時間内でガス流量を観測する復帰安全確認が行われる。
復帰安全確認では、遮断時のガス流量をもとにして最小流量以上の流量が観測されるか否かを確認する必要があるため、流量が小さいときにガスが遮断された場合には、復帰安全確認に時間が掛かる。例えば、特許文献１には、流量区分を設けて、流量区分ごとに復帰安全確認時間を設定するガス遮断装置が記載されている。最小流量区分の復帰安全確認時間は、他の流量区分の復帰安全確認時間よりも長い。
【先行技術文献】
【特許文献】
【０００３】
【特許文献１】特開２００６−３４９３４６号公報
【発明の概要】
【発明が解決しようとする課題】
【０００４】
上記のように、特許文献１に記載されたガス遮断装置では、Ｎ個の流量区分それぞれに復帰安全確認時間を設定している。従って、遮断時のガス流量が違っていても、同じ流量区分に属するのであれば、同じ復帰安全確認時間が設定される。つまり、同じ流量区分に属する流量の中で流量が大きい場合には、必要以上に長い復帰安全確認時間が強制的に設定されるので、ガスを遮断してから復帰するまでに時間が掛かるという課題があった。
【０００５】
この発明は、上記のような課題を解決するためになされたもので、流量区分ごとではなく流量ごとの時間値を用いて復帰安全確認の完了を決定する復帰安全確認時間制御装置を得ることを目的とする。
【課題を解決するための手段】
【０００６】
この発明に係る復帰安全確認時間制御装置は、ガスを遮断する遮断弁が閉じる際のガス流量を用いて、ガス流量ごとの完了時間を算出する完了時間算出部と、復帰安全確認が開始されてからの経過時間を測定する経過時間測定部と、復帰安全確認が開始されてから、設定された周期で比較指示を出力する比較指示部と、比較指示部により比較指示が出力されると、完了時間算出部が算出した完了時間と経過時間測定部が測定した経過時間とを比較し、当該経過時間が当該完了時間以上の場合に復帰安全確認の完了を決定する比較部とを備えることを特徴とするものである。完了時間算出部は、遮断弁が閉じる際のガス流量が第２設定値未満のときに、復帰安全確認が開始されてから比較部によりその完了が決定されるまでの復帰安全確認時間が最長となる完了時間が算出される一次関数を用いて、完了時間を算出する。
【発明の効果】
【０００７】
この発明によれば、比較部は、ガス流量ごとに算出される時間値である完了時間を経過時間と比較するので、流量区分ごとではなく流量ごとの時間値を用いて復帰安全確認の完了が決定される。
【図面の簡単な説明】
【０００８】
【図１】この発明の実施の形態１に係る復帰安全確認時間制御装置の構成を示すブロック図である。
【図２】この発明の実施の形態１に係る復帰安全確認時間制御装置の処理を示すフローチャートである。
【図３】完了時間の算出に用いる関数例を示すグラフである。
【図４】遮断弁が閉じる際のガス流量と完了時間と復帰安全確認時間との関係を示す表である。
【図５】完了時間の算出に用いる他の関数例を示すグラフである。
【図６】遮断弁が閉じる際のガス流量と完了時間と復帰安全確認時間との関係を示す表である。
【発明を実施するための形態】
【０００９】
実施の形態１．
図１は、この発明の実施の形態１に係る復帰安全確認時間制御装置の構成を示すブロック図である。復帰安全確認時間制御装置は、不図示のガスメータに組み込まれ、当該ガスメータと一体的に構成されている。
遮断判定部１は、ガスを遮断するか否かを判定する。例えば、ガスが継続して使用されている時間を測定し、その時間が設定時間以上となった場合、ガスを遮断すると判定する。また、例えば、ガス流量が異常なほど大きい場合、ガスを遮断すると判定する。遮断判定部１は、ガスを遮断すると判定すると、遮断実行指示を遮断弁２と完了時間算出部４とに出力する。
【００１０】
遮断弁２は、遮断判定部１が遮断実行指示を出力すると、閉弁してガスを遮断する。
流量センサ３は、ガス流量を計測するものであり、遮断判定部１、完了時間算出部４、復帰安全確認部６等に計測したガス流量を出力する。
【００１１】
完了時間算出部４は、遮断判定部１が遮断実行指示を出力すると、流量センサ３が出力するガス流量を用いて、ガス流量ごとの完了時間を算出する。例えば、後述する一次関数を用いて完了時間を算出する。算出した完了時間は、比較部９に出力される。
【００１２】
復帰安全確認開始判定部５は、遮断弁２が閉じられた後に、復帰安全確認を開始するか否かを判定する。例えば、ガスのユーザが不図示の復帰ボタン等を押して、遮断弁２の開弁を指示した場合に、復帰安全確認を開始すると判定する。復帰安全確認開始判定部５は、復帰安全確認を開始すると判定すると、開始指示を復帰安全確認部６と経過時間測定部７と比較指示部８とに出力する。
【００１３】
復帰安全確認部６は、復帰安全確認開始判定部５が開始指示を出力すると、流量センサ３が出力するガス流量を用いて、ガスの漏えいが無いかなどを監視する復帰安全確認の実行を開始する。また、比較部９により復帰安全確認の完了が決定されて完了指示が出力されると、復帰安全確認を完了する。
【００１４】
経過時間測定部７は、復帰安全確認開始判定部５からの開始指示を受けて時間の測定を開始することで、復帰安全確認が開始されてからの経過時間を測定する。測定した経過時間は、比較部９に出力される。
【００１５】
比較指示部８は、復帰安全確認開始判定部５からの開始指示を受けると、周期的に比較部９に比較指示を出力する。つまり、復帰安全確認が開始されてから、設定された周期で比較部９に比較指示を出力する。比較指示部８は、経過時間測定部７の出力を利用する分周器としてもよい。
【００１６】
比較部９は、比較指示部８が比較指示を出力すると、完了時間算出部４が算出した完了時間と、経過時間測定部７が測定した経過時間とを、当該比較指示を受けたタイミングで比較する。そして、当該経過時間が当該完了時間以上の場合に、比較部９は、復帰安全確認の完了を決定して、完了指示を復帰安全確認部６に出力する。
【００１７】
遮断判定部１、完了時間算出部４、復帰安全確認開始判定部５、復帰安全確認部６、経過時間測定部７、比較指示部８及び比較部９は、例えば、不図示のプロセッサがプログラムを実行することにより、実現される。また、複数のプロセッサを連携させて実現してもよい。
【００１８】
次に、上記のように構成された復帰安全確認時間制御装置の処理の一例について、図２に示すフローチャートを用いて説明する。
遮断判定部１がガスを遮断すると判定して、遮断実行指示を遮断弁２と完了時間算出部４とに出力すると、遮断弁２が閉じてガスが遮断される。また、完了時間算出部４は、遮断実行指示を受けると、流量センサ３が出力するガス流量を用いて、完了時間を算出する（ステップＳＴ１）。完了時間の算出には、遮断実行指示を受けたときに流量センサ３から出力されたガス流量を用いることができる。または、完了時間算出部４が、流量センサ３が出力するガス流量の履歴を不図示のメモリに記憶しておき、遮断実行指示を受けたときに当該履歴を読み出して、最も新しいガス流量を完了時間の算出に用いてもよい。このようにして、完了時間算出部４は、遮断弁２が閉じる際のガス流量を用いて、完了時間を算出する。
完了時間は、図３に示すようなマイナスの傾きを持つ一次関数を用いて算出される。
【００１９】
続いて、復帰安全確認開始判定部５が、復帰安全確認を開始するか否かを判定する（ステップＳＴ２）。例えば、ユーザにより不図示の復帰ボタン等が押されて遮断弁２の開弁が指示された場合に、復帰安全確認を開始すると判定する。
復帰安全確認開始判定部５が、復帰安全確認を開始しないと判定した場合（ステップＳＴ２：ＮＯ）、ステップＳＴ２の処理を繰り返す。
【００２０】
一方、復帰安全確認開始判定部５が、復帰安全確認を開始すると判定した場合（ステップＳＴ２：ＹＥＳ）、復帰安全確認開始判定部５により開始指示が出力され、復帰安全確認部６と経過時間測定部７と比較指示部８とが、各処理を開始する（ステップＳＴ３）。
つまり、復帰安全確認部６はガスの漏えいを監視し始め、経過時間測定部７は時間を測定し始め、比較指示部８は、設定された周期で比較指示を出力し始める。ここでは、比較指示部８が比較指示を出力する周期が１２秒である場合を例に説明する。
【００２１】
続いて、比較部９は、比較指示部８により比較指示が出力されたかを判定する（ステップＳＴ４）。
比較指示が出力されていない場合（ステップＳＴ４；ＮＯ）、ステップＳＴ４の処理を繰り返す。
【００２２】
一方、比較指示が出力された場合（ステップＳＴ４；ＹＥＳ）、比較部９は、完了時間算出部４が算出した完了時間と、経過時間測定部７が測定した経過時間とを、当該比較指示を受けたタイミングで比較し、当該経過時間が当該完了時間以上であるかを判定する（ステップＳＴ５）。このときに完了時間と比較される経過時間は、比較指示部８が比較指示を出力した時点で経過時間測定部７により測定された経過時間である。比較指示部８が比較指示を出力する周期を１２秒とした場合、比較部９による比較処理は、１２秒に一回行われることになる。
【００２３】
経過時間が完了時間未満である場合（ステップＳＴ５；ＮＯ）、ステップＳＴ４の処理を再度行う。つまり、比較部９は、次の比較指示が出力されるのを待つ。
一方、経過時間が完了時間以上である場合（ステップＳＴ５；ＹＥＳ）、比較部９は、復帰安全確認の完了を決定して、完了指示を復帰安全確認部６に出力する（ステップＳＴ６）。
なお、復帰安全確認部６は、ステップＳＴ３で処理を開始してからガスの漏えいを検知した場合、遮断弁２に閉弁するよう指示を出力し、復帰安全確認を中断して再度ガスを遮断させる。
【００２４】
図４は、遮断弁２が閉じる際のガス流量Ｑごとに、完了時間Ｔｊと復帰安全確認時間Ｔｋとを示した表である。復帰安全確認時間Ｔｋは、復帰安全確認が開始されてから比較部９によりその完了が決定されるまでの時間である。完了時間Ｔｊの算出に用いる一次関数は、以下の式（１）に示すとおりであり、ａはマイナスの値をとる。
Ｔｊ＝ａ×Ｑ＋ｂ      ・・・（１）
図４に示す完了時間Ｔｊは、ａを−１．３３、ｂを５７としたときの値であり、便宜上小数点以下を切り捨てて記載している。完了時間Ｔｊを算出する際に用いる一次関数の係数ａ，ｂの値次第で、完了時間Ｔｊは図４に示すものと異なる値をとることになり、図４には完了時間Ｔｊの一例を示している。
【００２５】
ここでは、比較指示部８が比較指示を出力する周期を１２秒としているので、復帰安全確認時間Ｔｋは１２の整数倍の値となる。
そして、図４のように完了時間Ｔｊが算出される場合、ガス流量Ｑが０以上６以下では、完了時間Ｔｊは４８秒より大きく６０秒以下の値をとるので、復帰安全確認時間Ｔｋは６０秒となる。つまり、比較指示部８が５回目の比較指示を出力した際に、完了時間Ｔｊと経過時間測定部７により測定された経過時間とを比較部９が比較して、復帰安全確認の完了が決定される。
【００２６】
同様に、ガス流量Ｑが７以上１５以下では完了時間Ｔｊは３６秒より大きく４８秒以下の値をとるので、復帰安全確認時間Ｔｋは４８秒となる。つまり、比較指示部８が４回目の比較指示を出力した際に、完了時間Ｔｊと経過時間測定部７により測定された経過時間とを比較部９が比較して、復帰安全確認の完了が決定される。
同様に、ガス流量Ｑが１６以上２４以下では完了時間Ｔｊは２４秒より大きく３６秒以下の値をとるので、復帰安全確認時間Ｔｋは３６秒となる。つまり、比較指示部８が３回目の比較指示を出力した際に、完了時間Ｔｊと経過時間測定部７により測定された経過時間とを比較部９が比較して、復帰安全確認の完了が決定される。
【００２７】
同様に、ガス流量Ｑが２５以上３３以下では完了時間Ｔｊは１２秒より大きく２４秒以下の値をとるので、復帰安全確認時間Ｔｋは２４秒となる。つまり、比較指示部８が２回目の比較指示を出力した際に、完了時間Ｔｊと経過時間測定部７により測定された経過時間とを比較部９が比較して、復帰安全確認の完了が決定される。
同様に、ガス流量Ｑが３４以上では完了時間Ｔｊは１２秒以下の値をとるので、復帰安全確認時間Ｔｋは１２秒となる。つまり、比較指示部８が最初の比較指示を出力した際に、完了時間Ｔｊと経過時間測定部７により測定された経過時間とを比較部９が比較して、復帰安全確認の完了が決定される。
比較指示部８が比較指示を出力する周期を１２秒としているので、復帰安全確認時間Ｔｋは最短で１２秒つまり当該周期と同じ値となる。
【００２８】
このように、ガス流量ごとに算出される時間値である完了時間を用いた比較部９での比較処理により、復帰安全確認の完了が決定される。ガス流量ごとに算出される時間値である完了時間を比較処理に用いることで、同じ流量区分に属するのであればガス流量が違っても同じ値となる時間値を比較処理に用いる場合に比べ、ガス流量の違いを反映して復帰安全確認の完了を決定することが可能になる。従って、遮断弁２が閉じる際のガス流量に対して必要以上に長い復帰安全確認時間が掛かってしまう可能性を低減することにつながる。
【００２９】
また、上記特許文献１のような従来のガス遮断装置では、Ｎ個の流量区分それぞれに復帰安全確認時間を設定して、電力供給が無くても情報が消去されない不揮発性メモリに記憶させておく必要があるが、不揮発性メモリからの読み出しには消費電力が掛かる。従って、電池で稼働するガスメータに適用した場合、その電池寿命が短くなるという不都合が生じていた。
それに対し、実施の形態１の復帰安全確認時間制御装置は、不揮発性メモリに予め記憶された復帰安全確認時間を当該不揮発性メモリから読み出す処理は必要としないことに加え、比較部９による比較処理が周期的例えば１２秒周期で行われるようにして処理負荷を軽減することで、省電力化が可能となる。
【００３０】
比較指示部８が比較指示を出力する周期は、復帰安全確認時間の最短値となる。従って、ガス流量が第１設定値以上のときに復帰安全確認時間が最短となるように、周期を設定することが考えられる。つまり、図４に示す例であれば、ガス流量Ｑが３３と３４との間を境として、ガス流量Ｑが３４以上のときに復帰安全確認時間Ｔｋが最短値となり、ガス流量Ｑが３４未満では当該最短値よりも長い復帰安全確認時間Ｔｋとなるように、周期を設定する。ガス流量Ｑが３４のときの完了時間Ｔｊである１１秒以上、ガス流量Ｑが３３のときの完了時間Ｔｊである１３秒未満の値として、例えば上記のように周期は１２秒に設定される。
【００３１】
また、完了時間算出部４が完了時間を算出する際に用いる一次関数は、ガス流量が第２設定値未満のときに復帰安全確認時間が最長となるような完了時間を算出するように、その係数を設定することが考えられる。つまり、図４に示す例であれば、ガス流量Ｑが６と７との間を境として、ガス流量Ｑが７未満のときに復帰安全確認時間Ｔｋが最長値となり、ガス流量Ｑが７以上では当該最長値よりも短い復帰安全確認時間Ｔｋとなるように、一次関数の係数を設定する。比較指示部８が比較指示を出力する周期を１２秒、復帰安全確認時間の最長値を６０秒とした場合、ガス流量Ｑが７未満では４８秒より大きくかつ６０秒以下の完了時間Ｔｊが算出されるような一次関数を用いる。
【００３２】
なお、完了時間算出部４は、一次関数に代えて図５に示すような広義のシグモイド関数を用いて完了時間を算出してもよい。
図６は、完了時間の算出にシグモイド関数を用いた場合の、遮断弁２が閉じる際のガス流量Ｑと完了時間Ｔｊと復帰安全確認時間Ｔｋとの関係を示す表である。完了時間Ｔｊの算出に用いるシグモイド関数の一例を、以下の式（２）に示す。ＡＢＳ（Ｑ−ｄ）は、（Ｑ−ｄ）の絶対値をとることを意味している。
Ｔｊ＝ｃ×（Ｑ−ｄ）÷（ｅ＋ＡＢＳ（Ｑ−ｄ））＋ｆ      ・・・（２）
図６に示す完了時間Ｔｊは、ｃを−３０、ｄを２１．３、ｅを０．３、ｆを２０としたときの値であり、便宜上小数点以下を切り捨てて記載している。完了時間Ｔｊを算出する際に用いるシグモイド関数の係数ｃ，ｄ，ｅ，ｆの値次第で、完了時間Ｔｊは図６に示すものと異なる値をとることになり、図６には完了時間Ｔｊの一例を示している。
【００３３】
ここでも、比較指示部８が比較指示を出力する周期を１２秒としている。
そして、図６のように完了時間Ｔｊが算出される場合、ガス流量Ｑが０以上１７以下では、完了時間Ｔｊは４８秒より大きく６０秒以下の値をとるので、復帰安全確認時間Ｔｋは６０秒となる。つまり、比較指示部８が５回目の比較指示を出力した際に、完了時間Ｔｊと経過時間測定部７により測定された経過時間とを比較部９が比較して、復帰安全確認の完了が決定される。
【００３４】
同様に、ガス流量Ｑが１８以上２０以下では完了時間Ｔｊは３６秒より大きく４８秒以下の値をとるので、復帰安全確認時間Ｔｋは４８秒となる。つまり、比較指示部８が４回目の比較指示を出力した際に、完了時間Ｔｊと経過時間測定部７により測定された経過時間とを比較部９が比較して、復帰安全確認の完了が決定される。
同様に、ガス流量Ｑが２１では完了時間Ｔｊが３５秒で、これは２４秒より大きく３６秒以下の値であるので、復帰安全確認時間Ｔｋは３６秒となる。つまり、比較指示部８が３回目の比較指示を出力した際に、完了時間Ｔｊと経過時間測定部７により測定された経過時間とを比較部９が比較して、復帰安全確認の完了が決定される。
同様に、ガス流量Ｑが２２以上では完了時間Ｔｊは１２秒以下の値をとるので、復帰安全確認時間Ｔｋは比較指示の周期と同じ１２秒となる。つまり、比較指示部８が最初の比較指示を出力した際に、完了時間Ｔｊと経過時間測定部７により測定された経過時間とを比較部９が比較して、復帰安全確認の完了が決定される。
【００３５】
このように、シグモイド関数を用いて、ガス流量ごとの時間値である完了時間を算出してもよい。
【００３６】
図６の例では、ガス流量Ｑの第１設定値を２２として、当該第１設定値以上のときに復帰安全確認時間Ｔｋが最短となるように、比較指示の周期が設定されていると考えることができる。つまり、ガス流量Ｑが２１と２２との間を境として、ガス流量Ｑが２２以上のときに復帰安全確認時間Ｔｋが最短値となり、ガス流量Ｑが２２未満では当該最短値よりも長い復帰安全確認時間Ｔｋとなるように、比較指示の周期が設定されている。ガス流量Ｑが２２のときの完了時間Ｔｊである−１秒以上、ガス流量Ｑが２１のときの完了時間Ｔｊである３５秒未満の値として、例えば上記のように周期は１２秒に設定されている。
【００３７】
また、完了時間算出部４が完了時間を算出する際に用いるシグモイド関数は、ガス流量が第３設定値未満のときに復帰安全確認時間が最長となるような完了時間を算出するように、その係数を設定することが考えられる。つまり、図６に示す例であれば、ガス流量Ｑが１７と１８との間を境として、ガス流量Ｑが１８未満のときに復帰安全確認時間Ｔｋが最長値となり、ガス流量Ｑが１８以上では当該最長値よりも短い復帰安全確認時間Ｔｋとなるように、シグモイド関数の係数を設定する。比較指示部８が比較指示を出力する周期を１２秒、復帰安全確認時間の最長値を６０秒とした場合、ガス流量Ｑが１８未満では４８秒より大きくかつ６０秒以下の完了時間Ｔｊが算出されるようなシグモイド関数を用いる。
【００３８】
以上のように、この発明の実施の形態１によれば、比較部９は、ガス流量ごとに算出される時間値である完了時間を用いた比較処理により、復帰安全確認の完了を決定する。これにより、同じ流量区分に属するのであればガス流量が違っても同じ値となる時間値を比較処理に用いる場合に比べ、ガス流量の違いを反映して復帰安全確認の完了を決定することが可能になる。従って、遮断弁２が閉じる際のガス流量に対して必要以上に長い復帰安全確認時間が掛かってしまう可能性を低減することにつながる。
【００３９】
また、比較指示部８により比較指示が出力される周期は、復帰安全確認が開始されてから比較部９によりその完了が決定されるまでの復帰安全確認時間を、遮断弁２が閉じる際のガス流量が第１設定値以上のときに最短とする値に設定されることとした。このように周期を設定することで、第１設定値以上のガス流量のときには最短の復帰安全確認時間となるようにすることができる。
【００４０】
また、完了時間算出部４は、遮断弁２が閉じる際のガス流量が第２設定値未満のときに、復帰安全確認が開始されてから比較部９によりその完了が決定されるまでの復帰安全確認時間が最長となる完了時間が算出される一次関数を用いて、完了時間を算出することとした。このようにすると、例えば比較指示の周期が変更されても、一次関数の係数を調節することで、復帰安全確認時間が最長となるガス流量を一定に保つことができる。
【００４１】
また、完了時間算出部４は、遮断弁２が閉じる際のガス流量が第３設定値未満のときに、復帰安全確認が開始されてから比較部９によりその完了が決定されるまでの復帰安全確認時間が最長となる完了時間が算出されるシグモイド関数を用いて、完了時間を算出することとした。このようにすると、例えば比較指示の周期が変更されても、シグモイド関数の係数を調節することで、復帰安全確認時間が最長となる流量を一定に保つことができる。
【００４２】
なお、本願発明はその発明の範囲内において、実施の形態の任意の構成要素の変形、もしくは実施の形態の任意の構成要素の省略が可能である。
【符号の説明】
【００４３】
１  遮断判定部
２  遮断弁
３  流量センサ
４  完了時間算出部
５  復帰安全確認開始判定部
６  復帰安全確認部
７  経過時間測定部
８  比較指示部
９  比較部
【図１】
0006700998.tif 000002
【図２】
0006700998.tif 000003
【図３】
0006700998.tif 000004
【図４】
0006700998.tif 000005
【図５】
0006700998.tif 000006
【図６】
0006700998.tif 000007